(57)【要約】【課題】  コンクリート塊である堰提の表面を、間伐材で覆って無機質な景観を改善し、完成後１年で蔦類の繁茂によって緑化し、砂防堰提が自然環境に順応した公共構造物となる環境調和型砂防堰提を開発・提供する事にある。【解決手段】  コンクリート構造体と合板と複数の半割り間伐材を重合組み合わせて形成した残存型枠材と花壇から成り、且つ、該残存型枠材及び花壇を取付施工後、コンクリートを流し込みコンクリート構造体を形成し、且つ、該花壇部に蔦類等の緑化植物を植栽する事で美的景観を改善し、自然環境に順応した公共構造物にする。又、残存型枠材は、合板と、該合板の表面側に、合板の大きさに適合する半割り間伐材を上下に複数本水平方向に並設し、且つ、該半割り間伐材の一端を左右交互にずらして凹凸部を設け、且つ、施工時は凹凸部を嵌挿組み合せて連結し、コンクリート構造体の形状に適合する型枠を取付施工する事で耐久性及び施工性向上を図る。【選択図】  図３
0003128643.tif 000002
【実用新案登録請求の範囲】
【請求項１】
市街地の団地等の背後に設置して災害を防止する砂防堰提において、該砂防堰提はコンクリート構造体（１）と、コンクリート構造体の表裏両面を覆う合板（２ａ）と合板の表面側に複数の半割り間伐材（２ｂ）を重合組み合わせて形成した残存型枠材（２）と、該残存型枠材の下方中央部に設けた花壇（３）から成り、且つ、該残存型枠材（２）、及び、花壇（３）を取付施工後、コンクリートを流し込みコンクリート構造体（１）を形成し、且つ、該花壇（３）部に蔦類等の緑化植物（４）を植栽する事で美的景観を改善し、自然環境に順応した公共構造物にする事を特徴とする環境調和型砂防堰提。
【請求項２】
残存型枠材（２）は、所定幅寸法（Ｗ１）と所定長さ寸法（Ｌ１）を有する合板（２ａ）と、該合板の表面側に、合板（２ａ）の大きさに適合する所定長さ寸法（Ｌ２）の半割り間伐材（２ｂ）を上下に複数本水平方向に並設し、且つ、該半割り間伐材（２ｂ）の一端を上下方向に向けて、左右交互に所定寸法（Ｌ３）程ずらして凹（２ａ’）凸（２ｂ’）部を設け、且つ、施工時は凹凸部を嵌挿組み合せて連結し、コンクリート構造体の形状に適合する型枠を取付施工する事で耐久性及び施工性向上を図る事を特徴とする環境調和型砂防堰提。
【考案の詳細な説明】
【技術分野】
【０００１】
この考案は、環境調和型砂防堰提に関するものである。
【背景技術】
【０００２】
従来、特に市街地に開発された団地の背後に設置された砂防堰提は無機質なコンクリート塊であり、直近に住宅地域が密集しており、景観的な問題が指摘されており自然破壊との声もあがっている。
【０００３】
又、近年では自然との調和や環境への配慮を公共事業にも求められており、コンクリート構造物に対する配慮が必要である。
【０００４】
そして、これまでの砂防堰提の施工作業工程では、コンクリート構造物を形成する場合、最初に型枠をアンカーボルト等の係止部材を使用して固定し、その型枠の中にコンクリートを流し込み、コンクリートが固まった後に型枠を撤去・回収する必要があった為、撤去・回収作業の工数もそれだけ余分に掛かっていた。
【０００５】
そこで、これまでに出願されている砂防堰提の特許文献を参考の為、紹介する。（特許文献１〜３参照。）
【特許文献１】特開２００２−１４６７５３
【特許文献２】特開２００３−１９３４５０
【特許文献３】特開２００３−１９３４５１
【考案の開示】
【考案が解決しようとする課題】
【０００６】
そこで、上記課題を解決する為に、この考案はコンクリート塊である堰提の表面を、間伐材で覆って無機質な景観を改善し、完成後１年で蔦類の繁茂によって緑化し、砂防堰提が自然環境に順応した公共構造物となる環境調和型砂防堰提を開発・提供する事にある。
【課題を解決するための手段】
【０００７】
この課題を解決する為の手段として、コンクリート構造体と、コンクリート構造体の表裏両面を覆う合板と合板の表面側に複数の半割り間伐材を重合組み合わせて形成した残存型枠材と、該残存型枠材の下方中央部に設けた花壇から成り、且つ、該残存型枠材、及び、花壇を取付施工後、コンクリートを流し込みコンクリート構造体を形成し、且つ、該花壇部に蔦類等の緑化植物を植栽する事で美的景観を改善し、自然環境に順応した公共構造物にするものである。
【０００８】
又、残存型枠材は、所定幅寸法と所定長さ寸法を有する合板と、該合板の表面側に、合板の大きさに適合する所定長さ寸法の半割り間伐材を上下に複数本水平方向に並設し、且つ、該半割り間伐材の一端を上下方向に向けて、左右交互に所定寸法程ずらして凹凸部を設け、且つ、施工時は凹凸部を嵌挿組み合せて連結し、コンクリート構造体の形状に適合する型枠を取付施工する事で耐久性及び施工性向上を図るものである。
【考案の効果】
【０００９】
この考案の効果として、コンクリート構造体と、コンクリート構造体の表裏両面を覆う合板と合板の表面側に複数の半割り間伐材を重合組み合わせて形成した残存型枠材と、該残存型枠材の下方中央部に設けた花壇から成り、且つ、該残存型枠材、及び、花壇を取付施工後、コンクリートを流し込みコンクリート構造体を形成し、且つ、該花壇部に蔦類等の緑化植物を植栽し、又、残存型枠材は、所定幅寸法と所定長さ寸法を有する合板と、該合板の表面側に、合板の大きさに適合する所定長さ寸法の半割り間伐材を上下に複数本水平方向に並設し、且つ、該半割り間伐材の一端を上下方向に向けて、左右交互に所定寸法程ずらして凹凸部を設け、且つ、施工時は凹凸部を嵌挿組み合せて連結し、コンクリート構造体の形状に適合する型枠を取付施工する事で、美的景観を改善し、自然環境に順応した公共構造物にし、又、間伐材のリサイクル使用が可能と成り、森林保護及び自然環境保護に対応可能と成り、又、コンクリート型枠の撤去作業が不要と成り、その工数分が経費節減出来、且つ、耐久性、及び、施工性向上を図る等、極めて有益なる効果を奏するものである。
【考案を実施するための最良の形態】
【００１０】
この考案の最良の形態として、残存型枠材の材料費及び製作・施工コストを軽減する為にも、極力、定格寸法に適合し、且つ、品質・耐久性・施工性等に優れた間伐材と合板を選定する事が望ましい。
【実施例１】
【００１１】
そこで、この考案の一実施例を図１〜図２に基づいて詳述すると、市街地の団地等の背後に設置して災害を防止する砂防堰提において、該砂防堰提はコンクリート構造体（１）と、コンクリート構造体の表裏両面を覆う合板（２ａ）と合板の表面側に複数の半割り間伐材を重合組み合わせて形成した残存型枠材（２）と、該残存型枠材の下方中央部に設けた花壇（３）から成り、且つ、該残存型枠材（２）、及び、花壇（３）を取付施工後、コンクリートを流し込みコンクリート構造体（１）を形成し、且つ、該花壇（３）部に蔦類等の緑化植物（４）を植栽する事で美的景観を改善し、自然環境に順応した公共構造物にする事を特徴とする環境調和型砂防堰提から構成される。
【００１２】
又、残存型枠材（２）は、所定幅寸法（Ｗ１）と所定長さ寸法（Ｌ１）を有する合板（２ａ）と、該合板の表面側に、合板（２ａ）の大きさに適合する所定長さ寸法（Ｌ２）の半割り間伐材（２ｂ）を上下に複数本水平方向に並設し、且つ、該半割り間伐材（２ｂ）の一端を上下方向に向けて、左右交互に所定寸法（Ｌ３）程ずらして凹（２ａ’）凸（２ｂ’）部を設け、且つ、施工時は凹凸部を嵌挿組み合せて連結し、コンクリート構造体の形状に適合する型枠を取付施工する事で耐久性及び施工性向上を図る事を特徴とする環境調和型砂防堰提から構成される。
【００１３】
最初に、残存型枠材（２）について説明すると、従来の型枠材は、コンクリート施工後に撤去・回収していたが、本考案の残存型枠材（２）は、施工後も撤去せずにそのまま使用するものである。従って、撤去・回収する手間が省け、その分だけ、経費が削減出来る。
【００１４】
その残存型枠材（２）について詳細に説明すると、図２（Ａ）（Ｂ）に示す様に、全幅が９００ｍｍで全長が１８００ｍｍで板厚が１２ｍｍの定尺のベニア合板（２ａ）の表面に、全幅が約１００ｍｍで全長が１８００ｍｍの半割り間伐材（２ｂ）を８本水平方向に並設し、且つ、該半割り間伐材（２ｂ）の一端を上下方向に向けて、左右交互に約３００ｍｍずらして凹部（２ａ’）と凸（２ｂ’）部を設けたものである。
【００１５】
そして、コンクリート構造体（１）の形状に合わせた残存型枠材（２）を取り付ける時の施工要領について説明すると、まず、図１（Ａ）（Ｂ）（Ｃ）に示す様に、複数本の杉や檜等の半割り間伐材（２ｂ）と合板（２ａ）を重合組み合わせて形成した残存型枠材（２）の、凹部（２ａ’）と凸（２ｂ’）部を連結しながら延長し、下方中央部には、水抜き穴（３ａ）を有する花壇（３）を設置し、所々を複数箇所アンカーボルト等の係止部材（ＡＢ）で固着しながらコンクリート構造体の表面に適合した形状を形成・施工していく。
【００１６】
そして、残存型枠材（２）の取付施工が完了したら、型枠内部にコンクリートを流し込み、コンクリートが固まる迄、数日間乾燥させる
【００１７】
最後に、施工後は、花壇（３）部に土を入れ蔦類等の緑化植物（４）を植栽する事で、１年後には蔦類の繁茂によって残存型枠材（２）全体が緑化され、自然環境保護に対応可能となり、且つ、周辺自然環境との調和が保たれる。
【産業上の利用可能性】
【００１８】
この考案の環境調和型砂防堰提は、コンクリート塊である堰提の表面を、間伐材で覆って無機質な景観を改善し、完成後１年で蔦類の繁茂によって緑化し、砂防堰提が自然環境に順応した公共構造物となる事で、土木建設市場に寄与する点で産業上の利用可能性を有する。
【図面の簡単な説明】
【００１９】
【図１】この考案の一実施例を示し、（Ａ）は環境調和型砂防堰提の施工要領を示す正面図で、（Ｂ）は右側面図で、（Ｃ）は図１（Ｂ）のａ部拡大詳細断面図である。
【図２】この考案の一実施例を示し、（Ａ）は残存型枠材の正面図で、（Ｂ）は右側面図である。
【図３】この考案の使用例を示し、（Ａ）は環境調和型砂防堰提に蔦類の繁茂による緑化状態を示す正面図で、（Ｂ）は右側面図である。
【符号の説明】
【００２０】
１  コンクリート構造体
２  残存型枠材
２ａ  合板
２ａ’  凹部
２ｂ  半割り間伐材
２ｂ’  凸部
３  花壇
３ａ  水抜き用穴
４  緑化植物
ＡＢ  係止部材
Ｌ１  合板の所定長さ寸法
Ｌ２  間伐材の所定長さ寸法
Ｌ３  所定寸法（左右ずらし寸法）
Ｗ１  合板の所定幅寸法
Ｗ２  間伐材の幅寸法
【図１】
0003128643.tif 000003
【図２】
0003128643.tif 000004
【図３】
0003128643.tif 000005